(57)【要約】【課題】風量バランスの不均衡を簡単かつ安価に是正する。【解決手段】フレキシブルダクト８を環状に繋げてループダクトとし、このループダクトを主ダクト９とし、この主ダクト９に室内機１からの調和空気を供給するようにする。また、フレキシブルダクト８同士を分岐ユニット１０で接続し、この分岐ユニット１０に分岐ダクト１１を接続し、この分岐ダクト１１を通して室内機１からの調和空気を吹出口４に導くようにする。分岐ユニット１０にはモータダンパ５を組み込む。なお、分岐ユニット１０にスライドダンパを組み込んだり、複数の分岐ダクト１１を接続したり、分岐ダクト１１を枝分かれさせるようにしたりしてもよい。【選択図】  図１
2014043955.tif 000002
【特許請求の範囲】
【請求項１】
フレキシブルダクトを環状に繋げてループダクトとされた主ダクトと、
前記主ダクトに調和された空気を供給する室内機と、
前記主ダクトに供給された前記室内機からの調和空気を分岐して吹出口へ導く分岐ダクトと、
前記主ダクトと前記分岐ダクトとを繋ぐ分岐ユニットと
を備えることを特徴とするループダクトシステム。
【請求項２】
請求項１に記載されたループダクトシステムにおいて、
前記分岐ユニットには、
風量調整を行うためのダンパが組み込まれている
ことを特徴とするループダクトシステム。
【請求項３】
請求項２に記載されたループダクトシステムにおいて、
前記分岐ユニットに組み込まれたダンパは、
モータダンパである
ことを特徴とするループダクトシステム。
【請求項４】
請求項２に記載されたループダクトシステムにおいて、
前記分岐ユニットに組み込まれたダンパは、
スライドダンパである
ことを特徴とするループダクトシステム。
【請求項５】
請求項４に記載されたループダクトシステムにおいて、
前記スライドダンパは、
１つのスライド稼働機構で多数の吹出口へ導かれる調和空気の風量を調整する
ことを特徴とするループダクトシステム。
【請求項６】
請求項１に記載されたループダクトシステムにおいて、
前記分岐ダクトは１つの分岐ダクトが多数の吹出口に対して枝分かれし、
前記分岐ダクトの枝分かれ部にバタフライダンパが設けられている
ことを特徴とするループダクトシステム。
【発明の詳細な説明】
【技術分野】
【０００１】
この発明は、フレキシブルダクトを用いたループダクトシステムに関するものである。
【背景技術】
【０００２】
小規模ビルでは、大規模ビルに比べて、低イニシャルコストの空調システムが求められる。このため、従来より、小規模ビルでは、室内機にダクトを接続して、複数のゾーンの空調制御を行うというシステムが採用されている。この室内機にダクトを接続して複数のゾーン（制御対象エリア）の空調制御を行う方式をダクトビルマルチ空調と呼ぶ。
【０００３】
図５にダクトビルマルチ空調のシステム構成の第１例を示す。同図において、１は室内機、２は主ダクト、３（３−１〜３−８）は分岐ダクト、４（４−１〜４−８）は制御対象エリアへの吹出口、５（５−１〜５−８）はモータダンパである。主ダクト２および分岐ダクト３は直線の鉄板ダクトとされている。
【０００４】
このシステムにおいて、室内機１は調和された空気を主ダクト２に供給する。主ダクト２に供給された室内機１からの調和空気は、分岐ダクト３−１〜３−８によって分岐され、吹出口４−１〜４−８に導かれて制御対象エリアへ吹き出される。吹出口４−１〜４−８から制御対象エリアへ吹き出される調和空気の風量はモータダンパ５−１〜５−８によって調整される。
【０００５】
図６にダクトビルマルチ空調のシステム構成の第２例を示す。このシステムでは、室内機１からの調和空気をチャンバ６に送り、このチャンバ６へ送った調和空気をフレキシブルダクトで構成される枝ダクト７（７−１〜７−８）を通して、吹出口４（４−１〜４−８）へ送るようにしている。
【０００６】
フレキシブルタクトは、伸縮や曲げなどが可能なダクトとして公知のダクトであり、チャンバにフレキシブルダクトを接続するための接続構造としては、例えば特許文献１に記載されているものがある。この特許文献１に開示されたフレキシブルタクトは、先端部に短管状の部材が設けられており、この部材を介してチャンバに接続される。
【０００７】
なお、フレキシブルダクト同士を接続するためには、一般に、ニップルと呼ばれる短管を使用して行われる。ニップルは、フレキシブルダクトより小径に形成されており、フレキシブルダクトの先端部内に挿入接続される。フレキシブルダクト同士を接続するためには、先ず、ニップルを一方のフレキシブルダクトから他方のフレキシブルダクトに延びるように装着する。次に、フレキシブルダクトの内周部の環状部材とニップルとの接続部に空気が漏洩することがないように粘着テープを巻き付けるとともに、この接続部に結束バンドを締め付ける。その後、フレキシブルダクトのグラスウール断熱材と外皮とをニップルに被せ、これらの先端部を粘着テープで固定する（例えば、特許文献２参照）。
【先行技術文献】
【特許文献】
【０００８】
【特許文献１】特開２００５−２０１５５１号公報
【特許文献２】特開２０１２−７２８４５号公報
【発明の概要】
【発明が解決しようとする課題】
【０００９】
しかしながら、上述したダクトビルマルチ空調のシステム構成の第１例（図５）によると、室内機１から吹出口４までの距離が異なるため、風量バランスが不均衡になり易い。この場合、主ダクト２の根元の風量が増えて、末端が不足する（風量バランス悪化）。
【００１０】
なお、図７に示すように、主ダクト２の根元を太く、末端を細くすることで、風量バランスの不均衡を是正することは可能であるが、ダクト径の設計に手間がかかる（設計工数増大）。
【００１１】
また、上述したダクトビルマルチ空調のシステム構成の第２例（図６）の場合も、チャンバ６から吹出口４までの距離が異なるため、風量バランスが不均衡になり易い。この場合、チャンバ６に近いほど風量が増えて、遠いほど不足する（風量バランス悪化）。
【００１２】
なお、枝ダクト７のダクト径の太さやダクトの抵抗を工夫するなどすれば、また枝タクト７の末端に手動ダンパを設けてダクトの抵抗を調整するなどすれば、風量バランスの不均衡を是正することは可能であるが、手間と工数がかってしまう（設計工数および調整工数増大）。
【００１３】
本発明は、このような課題を解決するためになされたもので、その目的とするところは、風量バランスの不均衡を簡単かつ安価に是正することが可能なループダクトシステムを提供することにある。
【課題を解決するための手段】
【００１４】
このような目的を達成するために本発明は、フレキシブルダクトを環状に繋げてループダクトとされた主ダクトと、主ダクトに調和された空気を供給する室内機と、主ダクトに供給された室内機からの調和空気を分岐して吹出口へ導く分岐ダクトと、主ダクトと分岐ダクトとを繋ぐ分岐ユニットとを備えることを特徴とする。
【００１５】
この発明によれば、主ダクトをループダクトとすることにより、ダクトの根元と末端が均圧に近づき、各分岐ダクトの風量が均等化される。また、フレキシブルダクトを環状に繋げてループダクトとし、このループダクトを主ダクトとして用いることにより、設置スペースに障害物があっても迂回しながら、最短距離のダクトルートでの施行か可能となる。また、フレキシブルダクトは鉄板ダクトに比べて低コストであり、ダクト総長が延びても、コストアップは少なくても済む。また、フレキシブルダクトは、軽量のため、鉄板ダクトのような頑強な固定の必要がなく、天井の梁や吊金具に容易に固定することが可能である。
【発明の効果】
【００１６】
本発明によれば、主ダクトをループダクトとすることにより、ダクトの根元と末端が均圧に近づき、各分岐ダクトの風量が均等化されるものとなり、風量バランスの不均衡を簡単に是正することができるようになる。
また、フレキシブルダクトを環状に繋げてループダクトとし、このループダクトを主ダクトとして用いることにより、最短距離のダクトルートでの施行か可能となり、またダクト総長が延びてもコストアップは少なくても済み、また天井の梁や吊金具に容易に固定することが可能となり、風量バランスの不均衡を安価に是正することが可能となる。
【図面の簡単な説明】
【００１７】
【図１】本発明に係るループダクトシステムの一実施の形態（実施の形態１）を示す図である。
【図２】本発明に係るループダクトシステムの他の実施の形態（実施の形態２）を示す図である。
【図３】実施の形態２において分岐ユニットからの分岐ダクトを２つとした例（実施の形態３）を示す図である。
【図４】分岐ユニットからの分岐ダクトを２つの吹出口に対して枝分かれさせた例（実施の形態４）を示す図である。
【図５】従来のダクトビルマルチ空調のシステム構成の第１例を示す図である。
【図６】従来のダクトビルマルチ空調のシステム構成の第２例を示す図である。
【図７】従来のダクトビルマルチ空調のシステム構成の第１例において主ダクトの根元を太く末端を細くした例を示す図である。
【発明を実施するための形態】
【００１８】
以下、本発明の実施の形態を図面に基づいて詳細に説明する。
【００１９】
〔実施の形態１〕
図１にこの発明に係るループダクトシステムの一実施の形態（実施の形態１）を示す。同図において、図５と同一符号は図５を参照して説明した構成要素と同一或いは同等構成要素を示し、その説明は省略する。
【００２０】
この実施の形態１では、フレキシブルダクト８を環状に繋げてループダクトとし、このループダクトを主ダクト９とし、この主ダクト９に室内機１からの調和空気を供給するようにしている。
【００２１】
また、フレキシブルダクト８同士を分岐ユニット１０で接続し、この分岐ユニット１０に分岐ダクト１１を接続し、この分岐ダクト１１を通して室内機１からの調和空気を吹出口４に導くようにしている。
【００２２】
また、分岐ユニット１０に、風量調整を行うためのモータダンパ５を組み込んでいる。なお、分岐ダクト１１も主ダクト９と同様、フレキシブルダクトを用いている。
【００２３】
例えば、分岐ユニット１０−１について言うと、フレキシブルダクト８−１と８−２とを分岐ユニット１０−１で接続し、この分岐ユニット１０−１に分岐ダクト１１−１を接続し、この分岐ダクト１１−１を通して室内機１からの調和空気を吹出口４−１に導くようにしている。分岐ユニット１０−１にはモータダンパ５−１を組み込んでいる。他の分岐ユニット１０−２〜１０−８についても同様である。
【００２４】
このシステムにおいて、室内機１は調和された空気を主ダクト９に供給する。主ダクト９に供給された室内機１からの調和空気は、分岐ダクト１１−１〜１１−８によって分岐され、吹出口４−１〜４−８に導かれる。吹出口４−１〜４−８から制御対象エリアに吹き出される調和空気の風量は、分岐ユニット１０−１〜１０−８に組み込まれているモータダンパ５−１〜５−８によって調整される。
【００２５】
このシステムでは、主ダクト９がループダクトとされているので、ダクトの根元と末端が均圧に近づき、各分岐ダクト１１の風量が均等化される。これにより、設計工数の増大や調整工数の増大を伴うことなく、風量バランスの不均衡を簡単に是正することができる、という効果が得られる。
【００２６】
また、このシステムでは、フレキシブルダクト８を環状に繋げてループダクトとし、このループダクトを主ダクト９として用いているので、設置スペースに障害物があっても迂回しながら、最短距離のダクトルートで施行を行うことができる。また、フレキシブルダクトは鉄板ダクトに比べて低コストであり、ダクト総長が延びても、コストアップは少なくても済む。また、フレキシブルダクトは、軽量のため、鉄板ダクトのような頑強な固定の必要がなく、天井の梁や吊金具に容易に固定することが可能である。これにより、施工コストを削減し、風量バランスの不均衡を安価に是正することかできる、という効果が得られる。
【００２７】
〔実施の形態２〕
実施の形態１では、分岐ユニット１０にモータダンパ５を組み込むようにしたが、図２に示すように、スライドダンパ１２を組み込むようにしてもよい。この例では、分岐ユニット１０からの分岐ダクト１１を１つとしているので、スライドダンパ１２に設ける風量調整穴Ｈを１つとし、スライド稼働機構で風量調整穴Ｈの開口面積を調整し、吹出口４へ導かれる調和空気の風量を調整する。
【００２８】
〔実施の形態３〕
図３に分岐ユニット１０からの分岐ダクト１１を２つとした場合を示す。この例では、分岐ユニット１０に分岐ダクト１１1，１１2を接続し、この分岐ダクト１１1，１１2を通して室内機１からの調和空気を吹出口４1，４2に導くようにしている。この場合、スライドダンパ１２に設ける風量調整穴ＨはＨ１，Ｈ２の２つとし、１つのスライド稼働機構で２つの吹出口４1，４2へ導かれる調和空気の風量を調整するものとする。
【００２９】
〔実施の形態４〕
図３に示した例では、分岐ユニット１０からの分岐ダクト１１を２つとしたが、図４に示すように、分岐ユニット１０からの分岐ダクト１１を２つの吹出口４1，４2に対して枝分かれさせ、分岐ダクト１１の枝分かれ部に、すなわち分岐ダクト１１と枝ダクト１３1，１３2との接続部に、バタフライダンパ１４を設けるようにしてもよい。
【００３０】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。また、各実施の形態については、矛盾しない範囲で任意に組み合わせて実施することができる。
【符号の説明】
【００３１】
１…室内機、４（４−１〜４−８、４1，４2）…吹出口、５（５−１〜５−８）…モータダンパ、８（８−１〜８−９）…フレキシブルダクト、９…主ダクト、１０（１０−１〜１０−８）…分岐ユニット、１１（１１−１〜１１−８、１１1，１１2）…分岐ダクト、１２（１２−１〜１２−８）…スライドダンパ、１３（１３1，１３2）…枝ダクト、１４…バタフライダンパ、Ｈ（Ｈ１，Ｈ２）…風量調整穴。
【図１】
2014043955.tif 000003
【図２】
2014043955.tif 000004
【図３】
2014043955.tif 000005
【図４】
2014043955.tif 000006
【図５】
2014043955.tif 000007
【図６】
2014043955.tif 000008
【図７】
2014043955.tif 000009